(57)【要約】【課題】処理装置と、処理装置に接続される２つのＲＦＩＤリーダと、ＲＦＩＤリーダのそれぞれに少なくとも１つ接続されるアンテナと、複数の医療アイテムにそれぞれ取り付けられる複数のＲＦＩＤタグと、を有する医療のアイテムをチェックするためのＲＦＩＤシステムを提供する。【解決手段】ＲＦＩＤタグは、ＲＦＩＤタグが取り付けられる医療アイテムにそれぞれ一意的に一致する識別コードを記憶するように構成される。ＲＦＩＤリーダは、それぞれ外科手術の前後にアンテナを通じてＲＦＩＤタグから医療アイテムの識別コードを読み取り、その識別コードを処理装置に送信するよう構成される。処理装置は、識別コードを受信しそして受信した識別コードに基づいて医療アイテムがすべて揃っていることを判断するよう構成される。【選択図】図１
0003173997.tif 000002
【実用新案登録請求の範囲】
【請求項１】
医療アイテムをチェックするためのＲＦＩＤシステムであって、
処理装置と、
前記処理装置に接続される２つのＲＦＩＤリーダと、
前記ＲＦＩＤリーダのそれぞれ１つに少なくとも１つ接続されるアンテナと、
複数の医療アイテムにそれぞれ取り付けられる複数のＲＦＩＤタグであって、該複数のＲＦＩＤタグには、外科手術前の医療アイテムに取り付けられる第１グループのＲＦＩＤタグと、外科手術後の医療アイテムに取り付けられる第２グループのＲＦＩＤタグと、が含まれているＲＦＩＤタグと、
を備えるＲＦＩＤシステムであり、
前記ＲＦＩＤタグは、ＲＦＩＤタグが取り付けられる医療アイテムにそれぞれ一意的に対応する識別コードを記憶するように構成されており、
前記ＲＦＩＤリーダは、前記アンテナを通じて前記ＲＦＩＤタグから前記医療アイテムの前記識別コードを読み取り、その識別コードを処理装置に送信するよう構成されており、前記ＲＦＩＤリーダの一方は、そのＲＦＩＤリーダに接続される一方のアンテナを通じて前記第１グループのＲＦＩＤタグを読み取るよう構成されており、そして前記ＲＦＩＤリーダの他方は、その他方のＲＦＩＤリーダに接続される他方のアンテナを通じて前記第２グループのＲＦＩＤタグを読み取るよう構成されており、
前記処理装置は、前記識別コードを受信し、そして受信した識別コードに基づいて医療アイテムがすべて揃っていることを判断するよう構成されており、
前記処理装置は、さらに、必要な医療アイテムの所定の標準リストを記憶し、前記識別コードに対応する医療アイテムが前記標準リスト上の前記医療アイテムと一致するか否かに基づいてすべて揃っていることを判断するよう構成されているＲＦＩＤシステム。
【請求項２】
請求項１に記載のＲＦＩＤシステムであって、前記少なくとも１つのアンテナは、前記ＲＦＩＤリーダのそれぞれに埋設されているＲＦＩＤシステム。
【請求項３】
請求項１に記載のＲＦＩＤシステムであって、前記処理装置により医療アイテムがすべて揃っていると判断したとき、前記処理装置はすべて揃っていることを示す表示を生成するよう構成されており、前記処理装置により医療アイテムがすべては揃ってはいないと判断したとき、前記処理装置は足りない医療アイテムのリストと警告とを生成するよう構成されているＲＦＩＤシステム。
【請求項４】
請求項１に記載のＲＦＩＤシステムであって、さらに、第１トレーと第２トレーとを備えており、
前記第１トレーは、外科手術前の医療アイテムが載置されるよう構成されており、
前記第２トレーは、外科手術後の医療アイテムが載置されるよう構成されており、
異なるＲＦＩＤリーダに接続されるアンテナには互いに排他的な受信可能範囲があり、
第１トレーおよび第２トレーは、異なるＲＦＩＤリーダに接続されたアンテナの互いに排他的な受信可能範囲内にそれぞれ配置されるＲＦＩＤシステム。
【請求項５】
請求項４に記載のＲＦＩＤシステムであって、
前記ＲＦＩＤリーダの一方は外科手術前後の第１トレー内の医療アイテムの総数をカウントしてその総数を前記処理装置に送信するよう構成されており、
前記ＲＦＩＤリーダの他方は外科手術後の第２トレー内の医療アイテムの総数をカウントしてその総数を前記処理装置に送信するよう構成されており、
前記処理装置は、手術後の第１トレーおよび第２トレー内の医療アイテムの総数の合計が手術前の第１トレー内の医療アイテムの総数と等しいか否かを判断するよう構成されているＲＦＩＤシステム。
【請求項６】
請求項１に記載のＲＦＩＤシステムであって、２つのアンテナが各ＲＦＩＤリーダに接続されているＲＦＩＤシステム。
【請求項７】
医療アイテムをチェックするためのＲＦＩＤシステムであって、
処理装置と、
前記処理装置に接続される２つのＲＦＩＤリーダと、
前記ＲＦＩＤリーダのそれぞれに少なくとも１つ接続されるアンテナと、
複数の医療アイテムにそれぞれ取り付けられる複数のＲＦＩＤタグと、
を備えるＲＦＩＤシステムであり、
前記ＲＦＩＤタグは、ＲＦＩＤタグが取り付けられる医療アイテムにそれぞれ一意的に対応する識別コードを記憶するように構成されており、
前記ＲＦＩＤリーダは、それぞれ外科手術の前後に前記アンテナを通じて前記ＲＦＩＤタグから前記医療アイテムの前記識別コードを読み取り、その識別コードを処理装置に送信するよう構成されており、
前記処理装置は、前記識別コードを受信しそして受信した識別コードに基づいて医療アイテムがすべて揃っていることを判断するよう構成されているＲＦＩＤシステム。
【請求項８】
請求項７に記載のＲＦＩＤシステムであって、前記処理装置は、さらに、必要な医療アイテムの所定の標準リストを記憶し、前記識別コードに対応する医療アイテムが前記標準リスト上の前記医療アイテムと一致するか否かに基づいてすべて揃っていることを判断するよう構成されているＲＦＩＤシステム。
【請求項９】
請求項８に記載のＲＦＩＤシステムであって、前記処理装置により医療アイテムがすべて揃っていると判断したとき、前記処理装置はすべて揃っていることを示す表示を生成するよう構成されており、前記処理装置により医療アイテムがすべては揃ってはいないと判断したとき、前記処理装置は足りない医療アイテムのリストと警告とを生成するよう構成されているＲＦＩＤシステム。
【請求項１０】
請求項７に記載のＲＦＩＤシステムであって、さらに、第１トレーと第２トレーとを備えており、
前記第１トレーは、外科手術前の医療アイテムが載置されるよう構成されており、
前記第２トレーは、外科手術後の医療アイテムが載置されるよう構成されており、
異なるＲＦＩＤリーダに接続されるアンテナには互いに排他的な受信可能範囲があり、
第１トレーおよび第２トレーは、異なるＲＦＩＤリーダに接続されたアンテナの互に排他的な受信可能範囲内にそれぞれ配置されるＲＦＩＤシステム。
【請求項１１】
請求項１０に記載のＲＦＩＤシステムであって、前記ＲＦＩＤリーダの一方は外科手術前後に第１トレー内の医療アイテムの総数をカウントしてその総数を前記処理装置に送信するよう構成されており、
前記ＲＦＩＤリーダの他方は外科手術後の第１トレー内の医療アイテムの総数をカウントしてその総数を前記処理装置に送信するよう構成されており、
前記処理装置は、手術後の第１トレーおよび第２トレー内の医療アイテムの総数の合計が手術前の第１トレー内の医療アイテムの総数と等しいか否かを判断するよう構成されているＲＦＩＤシステム。
【請求項１２】
請求項７に記載のＲＦＩＤシステムであって、２つのアンテナが前記ＲＦＩＤリーダのそれぞれに接続されているＲＦＩＤシステム。
【考案の詳細な説明】
【技術分野】
【０００１】
本願実用新案出願は、ＲＦＩＤ（無線周波数識別）技術に関し、特に医療アイテムをチェックするためのＲＦＩＤシステムに関する。
【背景技術】
【０００２】
病院のような医療機関における外科手術の準備プロセスでは、手術において使用される医療アイテムを正確にチェックする必要がある。これらの医療アイテムには、止血鉗子や解剖刀のような医療器具、およびガーゼやタンポンのような医療用消耗品が含まれる。現在、そのようなチェック手順は、医療スタッフによって手作業で行われる。
【考案の概要】
【考案が解決しようとする課題】
【０００３】
上記の準備プロセスの際にヒューマンエラーによって起こりうる、特定の医療器具あるいは医療用消耗品が足りないことあるいは正しく配置されていないことなどが外科手術の最中にわかると、手術における貴重な時間が失われることになり、手術の結果に悪影響を及ぶおそれがある。
【課題を解決するための手段】
【０００４】
本実用新案出願は、医療アイテムをチェックするためのＲＦＩＤシステムに対してなされたものである。一の態様において、ＲＦＩＤシステムは、処理装置と、処理装置に接続される２つのＲＦＩＤリーダと、ＲＦＩＤリーダのそれぞれ１つに少なくとも１つ接続されるアンテナと、複数の医療アイテムにそれぞれ取り付けられる複数のＲＦＩＤタグと、を有する。複数のＲＦＩＤタグには、外科手術前の医療アイテムに取り付けられる第１グループのＲＦＩＤタグと、外科手術後の医療アイテムに取り付けられる第２グループのＲＦＩＤタグと、が含まれている。ＲＦＩＤタグは、ＲＦＩＤタグが取り付けられる医療アイテムにそれぞれ一意的に対応する識別コードを記憶するように構成されている。ＲＦＩＤリーダは、アンテナを通じてＲＦＩＤタグから医療アイテムの識別コードを読み取り、その識別コードを処理装置に送信するよう構成されている。ＲＦＩＤリーダの一方は、そのＲＦＩＤリーダに接続される一方のアンテナを通じて第１グループのＲＦＩＤタグを読み取るよう構成されている。ＲＦＩＤリーダの他方は、その他方のＲＦＩＤリーダに接続される他方のアンテナを通じて第２グループのＲＦＩＤタグを読み取るよう構成されている。処理装置は、識別コードを受信しそして受信した識別コードに基づいて医療アイテムがすべて揃っていることを判断するよう構成されている。処理装置は、さらに、必要な医療アイテムの所定の標準リストを記憶し、識別コードに対応する医療アイテムが標準リスト上の医療アイテムと一致するか否かに基づいてすべて揃っていることを判断するよう構成されている。
【図面の簡単な説明】
【０００５】
【図１】本実用新案出願の実施形態にかかる医療アイテムをチェックするためのＲＦＩＤシステムのブロック図である。
【図２】本実用新案出願の他の実施形態にかかる医療アイテムをチェックするためのＲＦＩＤシステムのブロック図である。
【図３】本実用新案出願のさらに他の実施形態にかかる医療アイテムをチェックするためのＲＦＩＤシステムのブロック図である。
【図４】本実用新案出願のまたさらに他の実施形態にかかる医療アイテムをチェックするためのＲＦＩＤシステムのブロック図である。
【考案を実施するための形態】
【０００６】
図１は、本実用新案出願の実施形態にかかる医療アイテムをチェックするためのＲＦＩＤシステムのブロック図である。図１を参照して、ＲＦＩＤシステムは、処理装置２０と、ＲＦＩＤリーダ１１と、アンテナ１２１、３つの医療アイテム（図１には図示せず）にそれぞれ取り付けられている３つのＲＦＩＤタグ１３１、１３２および１３３と、を有する。ＲＦＩＤリーダ１１は、処理装置２０に接続される。処理装置２０は、遠隔のコンピューターあるいは遠隔サーバーとできる。アンテナ１２１は、ＲＦＩＤリーダ１１に接続される。ＲＦＩＤタグ１３１、１３２および１３３は、ＲＦＩＤタグ１３１、１３２および１３３が取り付けられる医療アイテムに対応する識別コードを記憶するよう構成されている。識別コードは、医療アイテムにそれぞれ一意的に対応し個々の医療アイテムを識別するために使用できるコードである。医療アイテムには、止血鉗子や解剖刀のような外科器具、および／またはガーゼやタンポンのような外科用消耗品が含まれる。ＲＦＩＤリーダ１１は、アンテナ１２１を通じてＲＦＩＤタグ１３１、１３２および１３３から医療アイテムの識別コードを読み取り、その識別コードを処理装置２０に送信するよう構成されている。処理装置２０は、識別コードを受信しそして受信した識別コードに基づいて医療アイテムがすべて揃っていることを判断するよう構成されている。
【０００７】
医療アイテムおよび対応するＲＦＩＤタグの数は３つに限定されず、外科手術における実際の要求によって決められることは理解されよう。さらに、アンテナ１２１を、ＲＦＩＤリーダ１１に外部から接続でき、あるいはＲＦＩＤリーダ１１に埋設することもできる。
【０００８】
本実施形態では、処理装置２０は、外科手術に前もって実際に要求されるすべての医療アイテムの所定の標準リストを記憶するよう構成される。処理装置２０は、医療アイテムの識別コードを受信した後に、識別コードに対応する複数の医療アイテムが標準リスト上の複数の医療アイテムと一致するか否かを判断するよう構成される。処理装置は、一致する場合、医療アイテムがすべて揃っており、正確に処理されていることを表示するよう構成される。処理装置は、否の場合、足りない医療アイテムのリストおよび警告を生成し医療スタッフに通知するよう構成される。
【０００９】
図２は、本実用新案出願の他の実施形態にかかる医療アイテムをチェックするためのＲＦＩＤシステムのブロック図である。図２を参照して、ＲＦＩＤシステムは、処理装置２０と、ＲＦＩＤリーダ１１と、第１アンテナ１２１と、第２アンテナと、３つの医療アイテム（図１には図示せず）にそれぞれ取り付けられている３つのＲＦＩＤタグ１３１、１３２および１３３と、を有する。ＲＦＩＤリーダ１１は、処理装置２０に接続される。処理装置２０は、遠隔のコンピューターあるいは遠隔サーバーとできる。アンテナ１２１およびアンテナ１２２は両方とも、ＲＦＩＤリーダ１１に接続される。さらに、アンテナ１２１およびアンテナ１２２を、ＲＦＩＤリーダ１１に外部から接続でき、あるいはＲＦＩＤリーダ１１に埋設することもできる。本実施形態は、２つのアンテナが１つのアンテナの代わりに配置されている以外は、先の実施形態と同様である。２つのアンテナ１２１および１２２の受信可能範囲は、１つのみのアンテナの受信可能範囲より大きい。アンテナの数は２つに限定されず、３つあるいは４つなどとすることもできることは理解されよう。
【００１０】
図３は、本実用新案出願のさらに他の実施形態にかかる医療アイテムをチェックするためのＲＦＩＤシステムのブロック図である。図３を参照して、ＲＦＩＤシステムは、外科手術前後に複数の医療アイテムがすべて揃っていることチェックするよう構成される。医療アイテムには、外科器具、および／または外科用消耗品が含まれる。ＲＦＩＤシステムは、処理装置２０と、第１ＲＦＩＤリーダ１１と、第２ＲＦＩＤリーダ３１と、第１アンテナ１２１と、第２アンテナ３２１と、外科手術前の３つの医療アイテム（図３には図示せず）にそれぞれ取り付けられている３つのＲＦＩＤタグ１３１、１３２および１３３と、外科手術後の３つの医療アイテム（図３には図示せず）にそれぞれ取り付けられている３つのＲＦＩＤタグ３３１、３３２および３３３と、を有する。第１ＲＦＩＤリーダ１１および第２ＲＦＩＤリーダ３１は、それぞれ処理装置２０に接続される。第１アンテナ１２１は、第１ＲＦＩＤリーダ１１に接続される。第２アンテナ３２１は、第２ＲＦＩＤリーダ３１に接続される。ＲＦＩＤタグ１３１、１３２、１３３、３３１、３３２および３３３は、ＲＦＩＤタグがそれぞれ取り付けられる医療アイテムに対応する識別コードを記憶するよう構成されている。外科手術前の医療アイテムは、第１アンテナ１２１の受信可能範囲（つまり第１ＲＦＩＤリーダ１１の読み取り範囲）内、例えばその範囲内の第１トレーに配置される。外科手術後の医療アイテムは、第２アンテナ３２１の受信可能範囲（つまり第２ＲＦＩＤリーダ３１の読み取り範囲）内、例えばその範囲内の第２トレーに配置される。第１アンテナ１２１の受信可能範囲は、第２アンテナ３２１の受信可能範囲と重複しない。その結果、第１ＲＦＩＤリーダ１１は、外科手術前の医療アイテムに取り付けられているＲＦＩＤタグ１３１、１３２および１３３のみを読み取ることができ、そして第２ＲＦＩＤリーダ３１は、外科手術後の医療アイテムに取り付けられているＲＦＩＤタグ３３１、３３２および３３３のみ読み取ることができる。本実施形態では、トレーの数が２つに限定されないことは理解されよう。
【００１１】
外科手術の前に、第１ＲＦＩＤリーダ１１は、第１アンテナ１２１を通じて第１トレー内の医療アイテムの識別コードを読み取り、その識別コードを処理装置２０に送信するよう構成されている。受信識別コードに基づいて、処理装置２０は、第１トレー内の医療のアイテムがすべて揃っているか否かを判断するよう構成される。手術の作業の際には、初めに第１トレー内に配置されていた医療アイテムは、第２トレーに次第に移動される。外科手術が完了すると、第２ＲＦＩＤリーダ３１は、第２アンテナ３２１を通じて第２トレー内の医療アイテムの識別コードを読み取り、その識別コードを処理装置２０に送信するよう構成されている。受信識別コードに基づいて、処理装置２０は、第２トレー内の医療のアイテムがすべて揃っているか否かを判断するよう構成される。
【００１２】
処理装置２０は、医療アイテムが、手術の前後で、以下の方法ですべて揃っているか否かを判断するよう構成される。処理装置２０は、外科手術前の医療のアイテムの第１標準リストと外科手術後の医療アイテムの第２標準リストとを記憶するよう構成される。手術の前に、処理装置２０は、識別コードに対応する医療アイテムが第１標準リスト上の医療アイテムと一致するか否かを判断するよう構成される。否の場合、足りない医療アイテムのリストおよび警告が生成され、医療スタッフに通知される。手術の後に、処理装置２０は、識別コードに対応する医療アイテムが第２標準リスト上の医療アイテムと一致するか否かを判断するよう構成される。否の場合、足りない医療アイテムのリストおよび警告が生成され、医療スタッフに通知される。
【００１３】
好ましくは、第１ＲＦＩＤリーダ１１は手術前後に第１トレー内の医療アイテムの総数をカウントしてその総数を処理装置２０に送信するよう構成される。第２ＲＦＩＤリーダ３１は手術後に第２トレー内の医療アイテムの総数をカウントしてその総数を処理装置２０に送信するよう構成される。処理装置２０は、手術後の第１トレーおよび第２トレー内の医療アイテムの総数の合計が手術前の第１トレー内の医療アイテムの総数と等しいか否かを判断するよう構成されている。否の場合、足りない医療アイテムのリストおよび警告が処理装置２０によって生成され、医療スタッフに通知される。
【００１４】
図４は、本実用新案出願のさらに他の実施形態にかかる医療アイテムをチェックするためのＲＦＩＤシステムのブロック図である。この実施形態におけるＲＦＩＤシステムは、各ＲＦＩＤリーダが２つのアンテナと接続されていること以外は図３に示した実施形態におけるＲＦＩＤシステムと同様である。より具体的には、第１ＲＦＩＤリーダ１１はアンテナ１２１およびアンテナ１２２に接続される。第２ＲＦＩＤリーダ３１はアンテナ３２１およびアンテナ３２２に接続される。このような構成では、３つ以上のアンテナを各ＲＦＩＤリーダに接続できることは理解されよう。
【符号の説明】
【００１５】
１１  リーダ
２０  処理装置
１２１  アンテナ
１３１，１３２，１３３  ＲＦＩＤタグ
３３１，３３２，３３３  ＲＦＩＤタグ
【図１】
0003173997.tif 000003
【図２】
0003173997.tif 000004
【図３】
0003173997.tif 000005
【図４】
0003173997.tif 000006